(57)【要約】【課題】例えば、先端部にルアーロックを有する接続部が設けられたシリンジに導液具を装着させる操作を、容易かつ確実に行うことができる導液具収納体を提供すること。【解決手段】図１に示す導液具収納体１は、シリンジの先端部に装着して使用される導液具１０と、この導液具１０を内部に収納可能であり、基端にシリンジの先端部を挿入可能な開口２１を有するケース２０とを備えており、導液具１０は、ケース２０内に収納された状態で、ケース２０に対し、先端方向へ移動しないように、かつ、回転しないように支持されている。導液具１０は、この状態で、その先端がケース２０の先端内面に接触せず、外面に突出形成された一対の突出部１４においてケース２０に支持されている。また、ケース２０は、この状態で、開口２１がフィルム３０により気密的に封止されている。【選択図】図１
2005211336.tif 000002
【特許請求の範囲】
【請求項１】
先端部にルアーロックを有する接続部が設けられたシリンジの先端部に装着して使用され、主として樹脂材料で構成された導液具と、
前記導液具のほぼ全てを内部に収納可能であり、その基端に、前記シリンジの先端部を挿入可能な開口を有するケースとを備える導液具収納体であって、
前記導液具は、その先端部に、先端が閉塞し、かつ、少なくとも１つの側孔が形成された針先を備える針体を有しており、前記ケース内に収納された状態で、前記ケースに対し、先端方向へ移動しないように、かつ、回転しないように支持されていることを特徴とする導液具収納体。
【請求項２】
前記導液具は、外面に突出形成された突出部を有し、該突出部において前記ケースに支持され、
前記突出部の外面および前記ケースの内面のうちの一方に形成された凸部と、他方に形成された凹部とが係合することにより、前記導液具の前記ケースに対する回転を阻止する請求項１に記載の導液具収納体。
【請求項３】
前記突出部は、前記導液具の周方向に沿って等間隔で、複数設置されている請求項２に記載の導液具収納体。
【請求項４】
前記針体は、１６〜２０ゲージである請求項１ないし３のいずれかに記載の導液具収納体。
【請求項５】
前記ケースは、前記導液具を収納した状態で、前記開口が封止部材により気密的に封止される請求項１ないし４のいずれかに記載の導液具収納体。
【発明の詳細な説明】
【技術分野】
【０００１】
本発明は、導液具収納体に関する。
【背景技術】
【０００２】
患者に輸液を投与するのに先立って、輸液バッグ内に充填された輸液に、例えばビタミン剤、ヘパリン、抗生物質のような薬剤を必要に応じて配合することが行われている。
【０００３】
このような薬剤の配合は、注射針（導液具）を装着したシリンジを用いて、次のように行なわれる。
【０００４】
まず、注射針を輸液バッグの弾性栓に刺通し、プランジャーを引いて輸液バッグ内の輸液をシリンジ内に採取し、次いで、この採取した輸液を配合する薬剤（粉末状）が入れられた容器に移し、この容器内で薬剤を溶解、混合した後、再びこの薬剤混合液を前記シリンジで吸引、採取し、注射針を輸液バッグの弾性栓に刺通し、プランジャーを押して薬剤混合液を輸液バッグ内に注入する。この操作を緊急時に手術室などで行う場合、術者が自らの手に誤刺するおそれがある。
【０００５】
また、この操作の際には、弾性栓と注射針との間の摩擦抵抗により、シリンジから注射針が不本意に離脱してしまうことがある。これを未然に防止するため、シリンジとして、注射針を螺合により固定して装着可能な、先端部にルアーロックを有する接続部が設けられたシリンジ（以下、「ロック付きシリンジ」と言う。）が用いられている（例えば、特許文献１参照。）。
【０００６】
ところで、未使用の注射針には、汚染を防止する目的としてキャップ（ケース）が被せられている。
【０００７】
そして、注射針をロック付きシリンジに装着する場合には、まず、キャップが被せられた状態の注射針を、シリンジの先端部に位置させ、キャップを把持してシリンジに対して回転させることにより、注射針を螺合させる。
【０００８】
また、注射針の接続部は、キャップからはみ出していることが多く、このため、誤って接続部に触れてしまい不潔にしてしまう可能性もあった（例えば、特許文献２参照。）。
【０００９】
【特許文献１】特公平１−１６５０９号公報
【特許文献２】実公昭４９−２３０３７号公報
【発明の開示】
【発明が解決しようとする課題】
【００１０】
本発明の目的は、例えば、先端部にルアーロックを有する接続部が設けられたシリンジに導液具を装着させる操作を、容易かつ確実に行うことができ、さらに導液具の装着部に誤って触れるのを防止することができる導液具収納体を提供することにある。
【課題を解決するための手段】
【００１１】
このような目的は、下記（１）〜（１１）の本発明により達成される。
（１）  先端部にルアーロックを有する接続部が設けられたシリンジの先端部に装着して使用され、主として樹脂材料で構成された導液具と、
前記導液具のほぼ全てを内部に収納可能であり、その基端に、前記シリンジの先端部を挿入可能な開口を有するケースとを備える導液具収納体であって、
前記導液具は、その先端部に、先端が閉塞し、かつ、少なくとも１つの側孔が形成された針先を備える針体を有しており、前記ケース内に収納された状態で、前記ケースに対し、先端方向へ移動しないように、かつ、回転しないように支持されていることを特徴とする導液具収納体。
【００１２】
（２）  前記導液具は、前記ケース内に収納された状態で、その先端が前記ケースの先端内面に接触しない上記（１）に記載の導液具収納体。
【００１３】
（３）  前記導液具は、外面に突出形成された突出部を有し、該突出部において前記ケースに支持され、
前記突出部の外面および前記ケースの内面のうちの一方に形成された凸部と、他方に形成された凹部とが係合することにより、前記導液具の前記ケースに対する回転を阻止する上記（１）または（２）に記載の導液具収納体。
【００１４】
（４）  前記突出部は、前記導液具の周方向に沿って等間隔で、複数設置されている上記（３）に記載の導液具収納体。
【００１５】
（５）  前記針体は、１６〜２０ゲージである上記（１）ないし（４）のいずれかに記載の導液具収納体。
【００１６】
（６）  前記導液具は、その基端部に内径が基端に向って漸増し、前記シリンジの先端部を装着可能な装着部を有する上記（１）ないし（５）のいずれかに記載の導液具収納体。
【００１７】
（７）  前記導液具は、射出成形法により製造されたものである上記（１）ないし（６）のいずれかに記載の導液具収納体。
【００１８】
（８）  前記ケースは、前記導液具を前記シリンジの先端部に装着する操作の際に、該操作を行う操作部材として機能する上記（１）ないし（７）のいずれかに記載の導液具収納体。
【００１９】
（９）  前記ケースは、前記導液具を収納した状態で、前記開口が封止部材により気密的に封止される上記（１）ないし（８）のいずれかに記載の導液具収納体。
（１０）  前記封止部材は、フィルムである上記（９）に記載の導液具収納体。
【００２０】
（１１）  前記開口の直径は、８ｍｍ以上である上記（１）ないし（１０）のいずれかに記載の導液具収納体。
【発明の効果】
【００２１】
本発明によれば、例えば、先端部にルアーロックを有する接続部が設けられたシリンジに導液具を装着させる操作を、容易かつ確実に行うことができ、さらに導液具の装着部に誤って触れるのを防止することができる。
【００２２】
また、封止部材を設けることにより、簡易包装とすることができるので、廃棄物の減少に寄与する。
【発明を実施するための最良の形態】
【００２３】
以下、本発明の導液具収納体を添付図面に示す好適な実施形態に基づいて詳細に説明する。
【００２４】
まず、本発明の導液具収納体を説明する前に、導液具収納体が備える導液具を装着して使用するシリンジ９０について説明する。
【００２５】
図４は、シリンジの構成を示す部分断面図である。なお、以下の説明では、図４中の上側を「基端」、下側を「先端」と言う。
【００２６】
図４に示すシリンジ９０は、外筒（シリンジ外筒）９１と、外筒９１内で液密に摺動し得るガスケット９２と、ガスケット９２に連結され、ガスケット９２を外筒９１内で移動操作するプランジャ（押し子）９３とを備えている。以下、各構成要素について説明する。
【００２７】
外筒９１は、有底筒状の部材で構成されている。また、外筒９１の底部には、その中央部に外筒９１の胴部より縮径した内管９１１と、この内管９１１と同心的に設けられた筒状の外管（接続部）９１２とが、外筒９１と一体的に形成され（設けられ）ている。また、外管９１２の内周面には、螺旋状に形成されたネジ山（ルアーロック）９１３を有している。
【００２８】
また、外筒９１の基端外周には、板状のフランジ９１４が一体的に形成されている。プランジャ９３を外筒９１に対し相対的に移動操作する際などには、このフランジ９１４に指を掛けて操作を行うことができる。
【００２９】
また、外筒９１と後述するガスケット９２とで囲まれる部分には、空間９１５が形成されている。
【００３０】
外筒９１内には、弾性材料で構成されたガスケット９２が収納されている。このガスケット９２の外周部には、一対のリング状の突部９２１が軸方向に所定間隔おいて形成されている。この突部９２１が外筒９１の内周面９１６に対し密着しつつ摺動することで、液密性をより確実に保持するとともに、摺動性の向上が図れる。
【００３１】
このようなガスケット９２には、ガスケット９２を外筒９１内で長手方向に移動操作するプランジャ９３が連結されている。
【００３２】
プランジャ９３は、主に、横断面が十文字状の板片で構成され、その基端には、円盤状のフランジ９３１が一体的に形成されている。このフランジ９３１に指等を掛けてプランジャ９３を操作する。
【００３３】
後述する導液具１０を先端部に装着した状態で、プランジャ９３を基端方向に向かって移動すると（引くと）、ガスケット９２は、基端方向へ移動し、空間９１５の容積が増大する。これにより、空間９１５内に導液具１０を介して、例えば薬液や輸液等の液体（以下、単に「液体」と言う。）を収納した、例えばアンプル、バイアル、輸液バッグ等の容器（以下、単に「容器」と言う。）内から液体を吸引（採取）することができる。また、この状態から、プランジャ９３を先端方向に向かって移動すると（押すと）、ガスケット９２は、先端方向へ移動し、空間９１５の容積が減少し、空間９１５内の液体を導液具１０を介して排出することができる。
【００３４】
以下、本発明の導液具収納体について、詳述する。
図１および図３は、それぞれ、本発明の導液具収納体の部分断面図であり、図２は、図１中のＡ−Ａ線断面図である。なお、以下の説明では、図１および図３中の上側を「基端」、下側を「先端」と言う。
【００３５】
図１に示す導液具収納体１は、主として樹脂材料で構成された導液具１０と、この導液具１０を収納するケース２０と、フィルム（封止部材）３０とを備えている。以下、各構成要素について説明する。
【００３６】
この導液具１０は、前述したようなシリンジ９０に装着して使用するものであり、ほぼ筒状の部材で構成され、その内部には、液体が通過可能な流路１１が形成されている。この流路１１は、導液具１０をシリンジ９０に装着した状態で、シリンジの内部（空間９１５）と連通する。
【００３７】
また、導液具１０は、人体に穿刺して使用するものではなく、薬剤（薬液）を調製する際に、前記容器が備える栓体（弾性栓）を刺通するのに用いるものであり、その先端部に針先１２を備える針体１２０を有している。この針先１２は、その先端が閉塞して、ほぼ円錐形状または砲弾形状をなしている。
【００３８】
また、針先１２の側部には、一対の側孔１２１ａ、１２１ｂが形成され、これらの側孔１２１ａ、１２１ｂにおいて、流路１１が開放している。側孔１２１ａ（図１中紙面手前側）、１２１ｂ（図１中紙面奥側）は、それぞれ、ほぼ長方形または長円形に形成され、針先１２（導液具１０）の中心軸（軸線）を介してほぼ対向して（互いにほぼ反対側に）設置されている。
【００３９】
このように、針先１２の先端を閉塞し、かつ、針先１２に一対の側孔１２１ａ、１２１ｂを設けたことにより、前記容器が備える栓体（弾性栓）を刺通する際のコアリングを防止することができるとともに、針先１２を鉛直上方に向けて容器からシリンジ９０内に液体を吸引する際を行うことにより、容器内の残液量をより確実に少なくすることができる。
【００４０】
また、針先１２をほぼ円錐形状または砲弾形状としたことにより、作業者等が誤って指先等を穿刺してしまうのを防止することができ、高い安全性が得られる。また、コアリングの防止効果も得られる。
【００４１】
また、側孔１２１ａの開口面積は、側孔１２１ｂの開口面積より大きく設定されている。これにより、シリンジ９０内に液体を吸引する操作をより迅速に行うことができる。
【００４２】
さらに、針先１２の側面には、その先端から長手方向に沿って、一対の溝１２２ａ、１２２ｂが形成され、これらの溝１２２ａ、１２２ｂは、それぞれ、側孔１２１ａ、１２１ｂに連通している。これらの溝１２２ａ、１２２ｂを設けることにより、液体をより迅速かつ確実に側孔１２１ａ、１２１ｂに導くことができる。
【００４３】
針体１２０は、１６〜２０ゲージであるのが好ましく、１８ゲージ程度であるのがより好ましい。これにより、シリンジ９０内への液体の吸引操作や排出操作を円滑に行うことができるので、薬液の調製操作等がより容易となる。
【００４４】
導液具１０は、その基端部に内径が基端に向って漸増する装着部１３を有している。また、この装着部１３（導液具１０）の基端外周には、リング状のフランジ１３１が形成されている。
【００４５】
この装着部１３の内側にシリンジ９０の内管９１１が嵌入され、フランジ１３１が外管９１２のネジ山９１３に螺合することにより、導液具１０がシリンジ９０に装着（固定）される。
【００４６】
また、装着部１３の内面に、例えば各種ゴムや熱可塑性エラストマー等の弾性材料、あるいは粘着剤よりなる内層を形成してもよい。これにより、導液具１０をシリンジ９０に装着したとき、装着部１３の内面は、内管９１１との摩擦抵抗が増大するので、導液具１０をシリンジ９０により確実に固定することができる。
【００４７】
また、導液具１０の長手方向の所定位置には、図１に示すように、一対の突出部１４が導液具１０と一体的に突出形成されている。各突出部１４は、導液具１０の中心軸（軸線）を介して対向して、すなわち、導液具１０の周方向に沿ってほぼ１８０°間隔（等間隔）で設置されている。
【００４８】
これらの突出部１４は、それぞれ、導液具１０の外周面からほぼ垂直に立設し、途中で基端方向に向って屈曲した形状をなしている。また、各突出部１４の外面は、後述するケース２０のテーパ部２２の内周面に対応して、テーパ面（傾斜面）を構成している。
【００４９】
導液具１０をシリンジ９０から離脱させる（外す）場合には、各突出部１４を把持して操作することにより、この操作をより容易かつ確実に行うことができる。
【００５０】
また、各突出部１４は、それぞれ、側孔１２１ａ、１２１ｂとほぼ９０°をなす位置に設置されている。これにより、例えば、針先１２が容器内に位置して、側孔１２１ａ、１２１ｂを外部から視認することができないような場合においても、各突出部１４により、それらの容器内での位置を容易に認識することができる。すなわち、各突出部１４は、側孔１２１ａ、１２１ｂを確認するためのマーカーとしての機能も有する。このような観点からは、各突出部１４は、それぞれ、側孔１２１ａ、１２１ｂと対応するような位置に設けるようにしてもよい。
【００５１】
導液具１０の製造方法としては、特に限定されないが、例えば、射出成形法、押出成形法、圧縮成形法、ブロー成形法等が挙げられるが、この中でも、射出成形法を用いるのが好ましい。射出成形法によれば、より複雑な形状の導液具１０を容易かつ確実に、しかも、高い寸法精度で製造することができる。また、射出成形法は、導液具１０の大量生産にも適している。
【００５２】
射出成形法に着目した場合、導液具１０の構成材料としては、特に限定されないが、例えば、ポリエチレン、ポリプロピレン、ポリカーボネート等の各種樹脂を用いるのが好ましい。なお、これらの樹脂は、内部の視認性を確保するために、実質的に透明であるのが好ましい。
【００５３】
この構成材料中には、必要に応じて、例えば、フィラー、顔料等の添加物を添加するようにしてもよい。例えば、顔料等を添加して、導液具１０に着色を施した場合には、使用者が用途に応じて、導液具１０を使い分けすることができ便利である。
【００５４】
また、樹脂材料を主材料とする導液具１０は、より容易に廃棄することができるという点で優れており、廃棄処理に要する手間を減少させることができる。
【００５５】
導液具１０の全長としては、特に限定されないが、通常、１０〜１００ｍｍ程度であるのが好ましく、３０〜８０ｍｍ程度であるのがより好ましい。
【００５６】
このような導液具１０は、ケース２０内に収納されている。このケース２０は、基端に開口（開放端）２１を有するほぼ筒状の部材で構成されている。
【００５７】
この開口２１の内径（直径）は、シリンジ９０の外管９１２の最大外径より大きく設定され、外管９１２（シリンジ９０の先端部）が挿入可能とされている。
【００５８】
この場合、開口２１の内径（直径）としては、例えば、８ｍｍ以上程度であるのが好ましく、１０〜２０ｍｍ程度であるのがより好ましい。
【００５９】
また、ケース２０は、その長手方向（軸方向）の途中から内径および外径が先端に向って漸減するテーパ部２２を有し、先端において閉塞端を構成している。
【００６０】
このケース２０の開口２１の周囲には、リング状のフランジ２３がケース２０と一体的に突出形成されている。
【００６１】
このようなケース２０は、好ましくは実質的に透明（無色透明）、着色透明または半透明とされ、内部の視認性が確保されている。
【００６２】
ケース２０の構成材料としては、特に限定されず、例えば、ポリエチレン、ポリプロピレン等の各種樹脂が挙げられる。
【００６３】
さて、本発明の導液具収納体１では、図１に示すように、導液具１０は、ケース２０内に収納された状態（以下、この状態を「収納状態」と言う。）で、ケース２０に対し、先端方向へ移動しないように、かつ、回転しないように支持されていることを特徴とする。以下、この点（特徴）について詳述する。
【００６４】
前述したように、導液具１０の各突出部１４の外面は、ケース２０のテーパ部２２の内周面に対応して形成されている。このため、この収納状態では、各突出部１４がケース２０のテーパ部２２の基端付近に嵌合する。これにより、導液具１０は、各突出部１４において、ケース２０に対し先端方向へ移動しないようにに支持される。
【００６５】
また、導液具１０の周方向に沿って、等間隔で設けられた複数の突出部によって、導液具１０がケース２０に対し支持されるような構成とすることにより、導液具収納体１では、導液具１０の周方向の全体に渡ってケース２０に支持されるような構成とする場合に比べて、導液具１０をケース２０内から取り出す操作の際に、摩擦抵抗をより小さくすることができるので、この操作をより容易かつ確実に行うことができる。
【００６６】
また、この収納状態では、導液具１０は、その針先１２の先端がケース２０の先端内面に接触しないように構成されている。これにより、導液具１０は、針先１２の変形が確実に防止される。
【００６７】
また、各突出部１４の外面には、複数の凹部１４１が凹没して形成されている。一方、ケース２０のテーパ部２２の基端付近の内周面には、複数の凸部２２１が突出形成されている。
【００６８】
収納状態では、これらの凹部１４１と凸部２２１とが係合することにより、導液具１０のケース２０に対する回転が阻止（防止）され、導液具１０は、ケース２０に対し回転しないように支持される。
【００６９】
すなわち、これらの凹部１４１と凸部２２１とで、導液具１０のケース２０に対する回転を阻止（防止）する回転阻止手段が構成される。
【００７０】
このような回転阻止手段を設けることにより、導液具収納体１では、例えば、次のような作用・効果を生じる。
【００７１】
まず、収納状態にある導液具１０の装着部１３の内側に、シリンジ９０の内管９１１を挿入するようにして接近させる（図３参照）。
【００７２】
次いで、ケース２０を把持して、シリンジ９０に対し相対的に回転させる。このとき、導液具１０のケース２０に対する回転が阻止されているので、導液具１０は、ケース２０を回転させる動作に追従して回転する。
【００７３】
これにより、装着部１３の内側に内管９１１が嵌入され、フランジ１３１が外管（接続部）９１２のネジ山（ルアーロック）９１３に螺合して、導液具１０がシリンジ９０の先端部に装着（固定）される。
【００７４】
したがって、ケース２０は、導液具１０をシリンジ９０へ装着する操作を行う操作部材としての機能も有している。
【００７５】
また、凸部２２１の設置数としては、特に限定されないが、例えば、４〜１００程度であるのが好ましく、３０〜７０程度であるのがより好ましい。一方、凹部１４１の設置数は、凸部２２１に対応して適宜設定される。
【００７６】
なお、この回転阻止手段は、ケース２０のテーパ部２２の基端付近の内周面に凹没形成された複数の凹部と、導液具１０の各突出部１４の外面に突出形成された複数の凸部とで構成することもできる。
【００７７】
さらに、このような収納状態において、ケース２０のフランジ２３の基端面には、開口２１を好ましくは気密的に封止するフィルム（封止部材）３０が貼着されている。これにより、ケース２０内の汚染が防止され、無菌性が保持される。
【００７８】
なお、導液具１０を使用する場合には、このフィルム３０を剥がす。このとき、フィルム３０を剥がし易いように、フィルム３０の縁部には、タブ３１が形成されている。
【００７９】
このフィルム３０としては、例えば、ポリエチレン、ポリプロピレン、アイオノマー、ポリエチレンテレフタレート、ポリスチレン、ポリ−（４−メチルペンテン−１）、ポリアミド等の樹脂、またはアルミ箔のような金属箔よりなる単一層のもの、あるいはこれらのうちの２以上の層を積層（ラミネート）した積層体を用いることができる。なお、金属箔と樹脂層との積層体は、気体透過性が低いので、フィルム３０としてこのようなものを用いれば、ケース２０内の気密性が向上し、細菌等の進入を有効に防止することができる。
【００８０】
このような構成の導液具収納体１では、その全体を収納する包材を省略することができるので、廃棄物の削減にも寄与する。
【００８１】
なお、このような導液具収納体１の少なくとも内部には、予め高圧蒸気滅菌、ガス滅菌または放射線滅菌等の滅菌処理が施されているのが好ましい。
【００８２】
以上、本発明の導液具収納体を図示の実施形態について説明したが、本発明は、これに限定されるものではなく、導液具収納体を構成する各部は、同様の機能を発揮し得る任意の構成のものと置換することができる。
【００８３】
例えば、封止部材は、フィルムに代えて、ケースの基端部外周に嵌合により装着されるような蓋体であってもよい。また、本発明では、封止部材は、必要に応じて、省略することもできる。
【００８４】
また、例えば、突出部は、一対で設置されたものに限定されず、さらに複数個（３つ以上）を、導液具の周方向に沿って等間隔で設置するようにしてもよい。
【図面の簡単な説明】
【００８５】
【図１】本発明の導液具収納体の部分断面図である。
【図２】図１中のＡ−Ａ線断面図である。
【図３】本発明の導液具収納体の部分断面図である。
【図４】シリンジの構成を示す部分断面図である。
【符号の説明】
【００８６】
１            導液具収納体
１０          導液具
１１          流路
１２          針先
１２０        針体
１２１ａ、１２１ｂ  側孔
１２２ａ、１２２ｂ  溝
１３          装着部
１３１        フランジ
１４          突出部
１４１        凹部
２０          ケース
２１          開口
２２          テーパ部
２３          フランジ
２２１        凸部
３０          フィルム
３１          タブ
９０          シリンジ
９１          外筒
９１１        内管
９１２        外管
９１３        ネジ山
９１４        フランジ
９１５        空間
９１６        内周面
９２          ガスケット
９２１        突部
９３          プランジャ
９３１        フランジ
【図１】
2005211336.tif 000003
【図２】
2005211336.tif 000004
【図３】
2005211336.tif 000005
【図４】
2005211336.tif 000006